(57)【特許請求の範囲】
【請求項１】
導光板と、前記導光板の少なくとも１つの側面に沿って延在するように配置された光源部とを備える面光源装置であって、
前記導光板よりも出射側に設けられる第１光学シートと、
前記第１光学シートよりも出射側に設けられる第２光学シートと、
を備え、
前記第１光学シートは、その出射側の面に、略円柱の一部形状又は略楕円柱の一部形状であり、出射側に凸となる第１単位レンズがシート面に沿って複数配列されており、
前記第２光学シートは、その出射側の面に、シート面の法線方向から見て、前記第１単位レンズの配列方向と直交する方向に、出射側に凸となる柱状の単位光学形状がシート面に沿って複数配列されており、
前記第１光学シート又は前記第２光学シートのうち前記第１単位レンズ又は前記単位光学形状の配列方向が前記光源部の延在方向に直交する光学シートは、
前記導光板側の面の前記光源部側の端部に、前記光源部の延在する方向に沿って遮光機能を有する帯状の遮光部が設けられ、
シート面に直交しかつ前記光源部の延在方向に直交する断面において、前記光源部側の端部が前記導光板よりも前記光源部側に突出し、前記光源部の少なくとも一部を覆い、
前記遮光部は、前記断面において、前記光源部の少なくとも一部を覆うこと、
を特徴とする面光源装置。
【請求項２】
請求項１に記載の面光源装置において、
前記遮光部は、前記断面において、前記光源部側とは反対側の端部が、前記導光板の前記光源部に面する前記側面よりも、前記導光板の内側に位置していること、
を特徴とする面光源装置。
【請求項３】
請求項１又は請求項２に記載の面光源装置において、
前記第１単位レンズは、その配列方向が、前記光源部の延在方向に平行であること、
を特徴とする面光源装置。
【請求項４】
請求項１から請求項３までのいずれか１項に記載の面光源装置において、
前記単位光学形状は、その配列方向が、前記光源部の延在方向に直交し、
前記遮光部は、前記第２光学シートの前記導光板側の面に設けられること、
を特徴とする面光源装置。
【請求項５】
請求項１から請求項４までのいずれか１項に記載の面光源装置において、
前記単位光学形状は、略円柱の一部形状、略楕円柱の一部形状、略三角柱形状のいずれかであること、
を特徴とする面光源装置。
【請求項６】
請求項１から請求項５までのいずれか１項に記載の面光源装置において、
前記遮光部は、光を反射する反射層を備えること、
を特徴とする面光源装置。
【請求項７】
請求項６に記載の面光源装置において、
前記遮光部は、前記反射層よりも出射側に、光を吸収する光吸収層を備えること、
を特徴とする面光源装置。
【請求項８】
請求項６又は請求項７に記載の面光源装置において、
前記第１光学シート又は前記第２光学シートのうち前記遮光部が設けられた光学シートの出射側の面には、前記遮光部に対向する位置に、光を吸収する作用を有する光吸収層が形成されていること、
を特徴とする面光源装置。
【請求項９】
請求項１から請求項８までのいずれか１項に記載の面光源装置と、
前記面光源装置に背面側から照明される透過型表示部と、
を備える透過型表示装置。
【請求項１０】
請求項９に記載の透過型表示装置において、
前記透過型表示部よりも出射側に設けられ、前記透過型表示部の非観察画面領域となる周縁部を被覆する枠状のベゼル部を備え、
前記遮光部は、その画面中央側の端部が、前記ベゼル部の画面中央側の端部よりも画面外側に位置すること、
を特徴とする透過型表示装置。
【請求項１１】
請求項９又は請求項１０に記載の透過型表示装置において、
前記光源部の延在方向は、この透過型表示装置の使用状態における画面の左右方向に平行であり、
前記第１単位レンズの長手方向は、この透過型表示装置の使用状態における画面の上下方向に平行であること、
を特徴とする透過型表示装置。
【発明の詳細な説明】
【技術分野】
【０００１】
本発明は、面光源装置、及び、これを備える透過型表示装置に関するものである。
【背景技術】
【０００２】
従来、ＬＣＤ（Ｌｉｑｕｉｄ  Ｃｒｙｓｔａｌ  Ｄｉｓｐｌａｙ）パネル等の透過型表示部を背面側から面光源装置によって照明し、映像を表示する透過型表示装置が知られている。このような透過型表示装置に用いられる面光源装置としては、エッジライト型、直下型等のものが知られている。
エッジライト型の面光源装置は、導光板の少なくとも一端面に面する位置に、光源を配置する形態であり、各種光学シートの背面側に光源を配置する直下型の面光源装置に比べて、面光源装置の厚さを薄くできる等の利点がある。
【０００３】
このエッジライト型の面光源装置を用いる透過型表示装置では、透過型表示部を保持するフレーム部の内側面で光源部からの光が反射して表示画面領域に漏れ、表示される画像とは無関係に明るい部分が観察される光漏れといった現象が観察される場合がある。このような光漏れに対する対策は、様々なされている（例えば、特許文献１，２参照）。
【先行技術文献】
【特許文献】
【０００４】
【特許文献１】特開２００６−１５４３８３号公報
【特許文献２】特開２００７−５２２８５号公報
【発明の概要】
【発明が解決しようとする課題】
【０００５】
一般的に、透過型表示装置では、非観察画面領域となるＬＣＤパネルの周縁部を覆う枠状の部材であり、ＬＣＤパネルを観察面側から保持するベゼルを備えている。
近年、透過型表示装置の大画面化や、薄型化等に伴い、各種部材の省スペース化が行われており、ベゼルに関しても、その幅（ＬＣＤパネルを被覆する幅）をより狭くしたり、厚みを薄くしたりする傾向にある。
【０００６】
しかし、このようなベゼルの狭幅化に伴い、エッジライト型の面光源装置を用いる透過型表示装置では、光源部からの光が、導光板より観察面側に配置された光学シートの光源部側の側面等に直接入射して、ＬＣＤパネルの観察画面の光源部側から出射すること等により、ＬＣＤパネルの観察画面の光源部側近傍に、局所的に明るく観察される領域（以下、ホットスポットという）が生じるという問題がある。
特許文献１，２には、このような理由によって生じるホットスポットに対する対策は開示されていない。
【０００７】
また、導光板の上に無指向性の拡散フィルムやマイクロレンズシート等を配置し、ホットスポットを低減する方法が知られているが、この場合は輝度の低下を招くという問題がある。
さらに、入光面に微細なレンズ加工等を設けることにより、ホットスポットを低減する方法も提案されているが、このような方法では加工費用が高く、生産コストが増大するという問題や、また、導光板に入射する際の光量の損失も大きくなり、正面輝度の低下を招くという問題がある。
加えて、透過型表示装置において、正面輝度が高く、かつ、好適な視野角であり、良好な映像を表示することは、常々求められることである。
【０００８】
本発明の課題は、ホットスポットを改善し、輝度の均一性が高い良好な照明を行うことができ、透過型表示装置の大画面化及びベゼルの狭幅化を実現可能な面光源装置、及び、これを備える透過型表示装置を提供することである。
【課題を解決するための手段】
【０００９】
本発明は、以下のような解決手段により、前記課題を解決する。なお、理解を容易にするために、本発明の実施形態に対応する符号を付して説明するが、これに限定されるものではない。
請求項１の発明は、導光板（１３）と、前記導光板の少なくとも１つの側面に沿って延在するように配置された光源部（１２Ａ，１２Ｂ）とを備える面光源装置であって、前記導光板よりも出射側に設けられる第１光学シート（１４）と、前記第１光学シートよりも出射側に設けられる第２光学シート（１５，２５）と、を備え、前記第１光学シートは、その出射側の面に、略円柱の一部形状又は略楕円柱の一部形状であり、出射側に凸となる第１単位レンズ（１４１）がシート面に沿って複数配列されており、前記第２光学シートは、その出射側の面に、シート面の法線方向から見て、前記第１単位レンズの配列方向と直交する方向に、出射側に凸となる柱状の単位光学形状（１５１，２５１）がシート面に沿って複数配列されており、前記第１光学シート又は前記第２光学シートのうち前記第１単位レンズ又は前記単位光学形状の配列方向が前記光源部の延在方向に直交する光学シート（１５，２５）は、前記導光板側の面の前記光源部側の端部に、前記光源部の延在する方向に沿って遮光機能を有する帯状の遮光部（１６）が設けられ、シート面に直交しかつ前記光源部の延在方向に直交する断面において、前記光源部側の端部が前記導光板よりも前記光源部側に突出し、前記光源部の少なくとも一部を覆い、前記遮光部は、前記断面において、前記光源部の少なくとも一部を覆うこと、を特徴とする面光源装置（１０）である。
【００１０】
請求項２の発明は、請求項１に記載の面光源装置において、前記遮光部（１６）は、前記断面において、前記光源部（１２Ａ，１２Ｂ）側とは反対側の端部が、前記導光板（１３）の前記光源部に面する前記側面（１３ａ）よりも、前記導光板の内側に位置していること、を特徴とする面光源装置（１０）である。
請求項３の発明は、請求項１又は請求項２に記載の面光源装置において、前記第１単位レンズ（１４１）は、その配列方向が、前記光源部（１２）の延在方向に平行であること、を特徴とする面光源装置（１０）である。
請求項４の発明は、請求項１から請求項３までのいずれか１項に記載の面光源装置において、前記単位光学形状（１５１，２５１）は、その配列方向が、前記光源部の延在方向に直交し、前記遮光部（１６）は、前記第２光学シート（１５，２５）の前記導光板（１３）側の面に設けられること、を特徴とする面光源装置（１０）である。
請求項５の発明は、請求項１から請求項４までのいずれか１項に記載の面光源装置において、前記単位光学形状（１５１，２５１）は、略円柱の一部形状、略楕円柱の一部形状、略三角柱形状のいずれかであること、を特徴とする面光源装置（１０）である。
【００１１】
請求項６の発明は、請求項１から請求項５までのいずれか１項に記載の面光源装置において、前記遮光部（１６−１，１６−２）は、光を反射する反射層（１６３）を備えること、を特徴とする面光源装置（１０）である。
請求項７の発明は、請求項６に記載の面光源装置において、前記遮光部（１６−２）は、前記反射層（１６３ａ）よりも出射側に、光を吸収する光吸収層（１６３ｂ）を備えること、を特徴とする面光源装置（１０）である。
請求項８の発明は、請求項６又は請求項７に記載の面光源装置において、前記第１光学シート又は前記第２光学シートのうち前記遮光部が設けられた光学シートの出射側の面には、前記遮光部に対向する位置に、光を吸収する作用を有する光吸収層（１６４）が形成されていること、を特徴とする面光源装置（１０）である。
【００１２】
請求項９の発明は、請求項１から請求項８までのいずれか１項に記載の面光源装置（１０）と、前記面光源装置に背面側から照明される透過型表示部（１１）と、を備える透過型表示装置（１）である。
請求項１０の発明は、請求項９に記載の透過型表示装置において、前記透過型表示部よりも出射側に設けられ、前記透過型表示部の非観察画面領域となる周縁部を被覆する枠状のベゼル部（１８）を備え、前記遮光部（１６）は、その画面中央側の端部が、前記ベゼル部の画面中央側の端部よりも画面外側に位置すること、を特徴とする透過型表示装置（１）である。
請求項１１の発明は、請求項９又は請求項１０に記載の透過型表示装置において、前記光源部（１２Ａ，１２Ｂ）の延在方向は、この透過型表示装置の使用状態における画面の左右方向に平行であり、前記第１単位レンズ（１４１）の長手方向は、この透過型表示装置の使用状態における画面の上下方向に平行であること、を特徴とする透過型表示装置（１）である。
【発明の効果】
【００１３】
本発明によれば、以下の効果を奏することができる。
（１）面光源装置は、導光板と、光源部（１２Ａ，１２Ｂ）と、導光板よりも出射側に設けられる第１光学シートと、第１光学シートよりも出射側に設けられる第２光学シートと、を備え、第１光学シートは、その出射側の面に、略円柱の一部形状又は略楕円柱の一部形状であり、出射側に凸となる第１単位レンズがシート面に沿って複数配列されており、第２光学シートは、その出射側の面に、シート面の法線方向から見て、第１単位レンズの配列方向と直交する方向に、出射側に凸となる柱状の単位光学形状がシート面に沿って複数配列されており、第１光学シート又は第２光学シートは、その光源部側の端部に、光源部の延在する方向に沿って遮光機能を有する帯状の遮光部が設けられるものとした。
従って、ホットスポットを低減し、輝度均一性が高く、視野角も広い良好な照明を行うことができる。また、ホットスポットを低減できるので、透過型表示装置の大画面化及び、ベゼル等と呼ばれる透過型表示部の周縁部を保持する枠部材の狭幅化を実現できる。
【００１４】
（２）第１単位レンズは、その配列方向が、光源部の延在方向に平行であるので、導光板内における光の主たる導光方向と直交する方向において、導光板から出射した光を拡散することができ、輝度の均一性や視野角の向上を図ることができる。
【００１５】
（３）遮光部は、第２光学シートの導光板側の面に設けられるので、ホットスポットの低減効果を高め、輝度の均一性を高めることができる。
【００１６】
（４）単位光学形状は、略円柱の一部形状、略楕円柱の一部形状、略三角柱形状のいずれかであるので、第１光学シートの光線制御方向とは直交する方向において、光を拡散したり偏向したりすることができ、輝度分布の均一性や輝度の向上効果を高めることができる。
【００１７】
（５）遮光部は、その幅方向における一部が導光板よりも光源部側に突出するように設けられているので、ホットスポットの原因となる光を遮光する効果を高めることができる。
【００１８】
（６）遮光部は、光を反射する反射層を備えるので、ホットスポットの原因となる光を反射して導光板側へ戻し、再利用することができ、ホットスポットを低減しながら光の利用効率を高めることができる。
【００１９】
（７）遮光部は、反射層よりも出射側に、光を吸収する光吸収層を備えるので、反射層を透過した光を吸収することができ、ホットスポットの低減効果を高めることができる。
【００２０】
（８）遮光部は、第１光学シート又は第２光学シートの導光板側の面に設けられ、遮光部が設けられた第１光学シート又は第２光学シートの出射側の面には、遮光部に対向する位置に、光を吸収する作用を有する光吸収層が形成されているので、反射層を透過した光を吸収することができ、ホットスポットの原因となる光を確実に遮光でき、ホットスポット低減効果をさらに高めることができる。
【００２１】
（９）透過型表示装置は、上述の面光源装置と、面光源装置に背面側から照明される透過型表示部とを備えるので、ホットスポットが低減され、輝度の均一性が高く、視野角も広い良好な映像を表示できる。また、透過型表示装置の大画面化を実現できる。
【００２２】
（１０）遮光部は、その画面中央側の端部が、ベゼル部の画面中央側の端部よりも画面外側に位置するので、透過型表示装置の大画面化及びベゼル部の狭幅化を実現できる。
【００２３】
（１１）光源部の延在方向は、この透過型表示装置の使用状態における画面の左右方向に平行であり、第１単位レンズの長手方向は、この透過型表示装置の使用状態における画面の上下方向に平行であるので、使用状態において、画面左右方向の視野角を広げることができ、より良好な視野角特性を実現できる。
【図面の簡単な説明】
【００２４】
【図１】実施形態の面光源装置１０及び透過型表示装置１を説明する図である。
【図２】実施形態の第１光学シート１４を説明する図である。
【図３】実施形態の第２光学シート１５，２５を説明する図である。
【図４】遮光部１６の層構成を説明する図である。
【図５】実施形態の透過型表示装置１の観察画面（シート面）に直交し、かつ、画面上下方向に平行な断面（ＹＺ平面）での光源部１２Ａ近傍の様子を示す図である。
【図６】ホットスポットついて説明する図である。
【図７】測定例２，４の画面上下方向及び画面左右方向の視野角特性を示すグラフである。
【図８】測定例６，８の画面上下方向及び画面左右方向の視野角特性を示すグラフである。
【発明を実施するための形態】
【００２５】
以下、図面等を参照して、本発明の実施形態について説明する。
なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、特許請求の範囲の記載は、シートという記載で統一して使用した。従って、シート、板、フィルムの文言は、適宜置き換えることができるものとする。例えば、光学シートは、光学フィルムとしてもよいし、光学板としてもよい。
さらに、本明細書中に記載する各部材の寸法等の数値及び材料名等は、実施形態としての一例であり、これに限定されるものではなく、適宜選択して使用してよい。
【００２６】
（実施形態）
図１は、本実施形態の面光源装置１０及び透過型表示装置１を説明する図である。
透過型表示装置１は、ＬＣＤ（Ｌｉｑｕｉｄ  Ｃｒｙｓｔａｌ  Ｄｉｓｐｌａｙ）パネル１１と、ＬＣＤパネル１１を背面側から照明する面光源装置１０と、ＬＣＤパネル１１よりも出射側（観察面側）に配置されるベゼル１８と、面光源装置１０及びＬＣＤパネル１１をベゼル１８と挟んで保持する筐体部１９（１９ａ、１９ｂ）（後述の図５参照）とを備える液晶透過型表示装置である。
面光源装置１０は、光源部１２Ａ，１２Ｂ、導光板１３、第１光学シート１４、第２光学シート１５、遮光部１６、偏光反射シート１７等を備えるエッジライト型の面光源装置（バックライト）である。
【００２７】
ＬＣＤパネル１１は、映像を表示する液晶透過型表示部である。ＬＣＤパネル１１は、略矩形状の略平板状の部材である。
ベゼル１８は、ＬＣＤパネル１１よりも出射側（観察面側）に配置される平板状の枠状の部材であり、ＬＣＤパネル１１の非観察画面領域となる周縁部を覆う部材である。そして、ベゼル１８の開口部分に相当する領域が透過型表示装置１の表示領域（観察画面領域）となる。このベゼル１８は、光を透過しない。
【００２８】
本実施形態の透過型表示装置１は、その表示領域が略矩形形状である。透過型表示装置１は、例えば、その画面サイズ（ＬＣＤパネル１１の表示領域のサイズ）を、対角４０インチ（８８６ｍｍ×４９８ｍｍ）、解像度１９２０×１０８０ドットとすることができる。
なお、図中及び以下の説明において、透過型表示装置１の使用状態において、観察者がＬＣＤパネル１１を正面から観察した場合の画面上下方向（鉛直方向）をＹ方向、画面左右方向（水平方向）をＸ方向、奥行方向（観察画面に直交する方向）をＺ方向とする。観察者は、観察者側Ｚ２から背面側Ｚ１に向けて、ＬＣＤパネル１１の画面の表示を視認する。
また、以下の説明中において、特に断りが無い場合、画面左右方向、画面上下方向とは、透過型表示装置１及び面光源装置１０の使用状態における画面左右方向（Ｘ方向）、画面上下方向（Ｙ方向）であるとする。
【００２９】
光源部１２Ａ，１２Ｂは、ＬＣＤパネル１１を背面から照明する光を発する部分である。本実施形態の光源部１２Ａは、導光板１３の画面上下方向の一方（Ｙ１側）の端面となる入光面１３ａに面する位置に設けられており、光源部１２Ｂは、入光面１３ａに対向する端面（導光板１３の画面上下方向の一方（Ｙ２側）の端面）となる入光面１３ｂに面する位置に設けられている。
この光源部１２Ａ，１２Ｂは、発光源として点光源１２１であるＬＥＤが、入光面１３ａに沿って画面左右方向に等間隔で複数配列されている。
【００３０】
導光板１３は、光を導波させる略平板状の部材である。導光板１３は、光源部１２Ａ，１２Ｂが発する光を入光面１３ａ，１３ｂから入射させ、出光面１３ｃ及び背面１３ｄで全反射させながら、それぞれ対向する面１３ｂ，１３ａ側（Ｙ２側）へと画面上下方向に導光しながら、出光面１３ｃから第１光学シート１４側へ出射させる。
本実施形態の導光板１３は、アクリル系樹脂製であり、背面側（Ｚ１側）となる背面１３ｄには、印刷等によりドット（不図示）等が形成されている。
導光板１３の背面側（Ｚ１側）には、光を反射可能な板状の部材である不図示の反射板が設けられている。この反射板は、背面側へ向かう光を反射して、導光板１３へ向ける機能を有している。
【００３１】
第１光学シート１４は、導光板１３よりも出射側（ＬＣＤパネル１１側）に配置され、導光板１３から出射した光の方向を制御する作用を有する。
図２は、本実施形態の第１光学シート１４を説明する図である。図２では、第１光学シート１４をシート面に直交し、かつ、第１単位レンズ１４１の配列方向に平行な断面の一部を拡大した図である。
ここで、シート面とは、各シートにおいて、そのシート全体として見たときにおける、シートの平面方向となる面を示すものであり、本明細書中、及び、特許請求の範囲においても、同一の定義として用いている。例えば、第１光学シート１４のシート面は、第１光学シート１４全体として見たときにおける、第１光学シート１４の平面方向となる面であり、ＬＣＤパネル１１の観察画面に平行な面である。
【００３２】
第１光学シート１４は、その出射側（ＬＣＤパネル１１側、Ｚ２側）の面１４ｂに第１単位レンズ１４１が複数配列されている。第１単位レンズ１４１は、その長軸がシート面に直交する略楕円柱の一部形状であり、画面上下方向（Ｙ方向）を長手方向とし、画面左右方向（Ｘ方向）に配列されている。即ち、シート面に直交する方向から見て、第１単位レンズ１４１の配列方向は、光源部１２Ａ，１２Ｂの延在方向（点光源１２１の配列方向）に平行であり、第１単位レンズ１４１の長手方向は、光源部１２Ａ，１２Ｂの延在方向（点光源１２１の配列方向）に直交する。
【００３３】
図２に示すように、第１単位レンズ１４１は、配列方向に平行であってシート面に直交する断面での断面形状が、長軸がシート面に直交する略楕円形状の一部形状である。
なお、この第１単位レンズ１４１は、略円柱の一部形状としてもよいし、複数種類の曲線を組み合わせてなる形状としてもよい。
第１単位レンズ１４１の配列ピッチ（頂点ｔ間の距離）はＰであり、レンズ高さ（シート面に直交する方向における第１単位レンズ１４１の頂点ｔから第１単位レンズ１４１間の谷底となる点ｖまでの寸法）はｈである。
第１光学シート１４は、熱可塑性樹脂を押し出し成形することにより形成されており、本実施形態では、ＰＣ（ポリカーボネート）樹脂を押し出し成形することにより形成されている。
【００３４】
図３は、本実施形態の第２光学シート１５，２５を説明する図である。図３（ａ），（ｂ）は、第２光学シート１５，２５をそれぞれ説明する図であり、図３（ｃ）は、第２光学シート１５を導光板１３側から見た斜視図である。
第２光学シート１５は、第１光学シート１４よりも出射側（ＬＣＤパネル１１側、Ｚ２側）に設けられている。この第２光学シート１５は、その出射側の面に、単位光学形状として、柱状の第２単位レンズ１５１がシート面に沿って画面上下方向（Ｙ方向）に複数配列されて形成されている。
本実施形態の第２単位レンズ１５１は、第１光学シート１４の第１単位レンズ１４１と同形状であり、略楕円柱の一部形状である。第２単位レンズ１５１の配列方向に平行であってシート面に直交する断面形状は、図２（ａ）に示すように、長軸がシート面に直交する略楕円形状の一部形状となっている。従って、本実施形態の第２光学シート１５は、第２単位レンズ１５１の配列方向が第１光学シート１４とは異なる点以外は、第１光学シート１４と略同様の形態である。
【００３５】
この第２光学シート１５の第２単位レンズ１５１の配列方向（Ｙ方向）と、第１光学シートの第１単位レンズ１４１の配列方向（Ｘ方向）は、シート面に直交する方向（Ｚ方向）から見て直交している。
なお、本実施形態では、図１（ａ）に示すように、第１単位レンズ１４１の配列方向を画面左右方向（Ｘ方向）とし、第２単位レンズ１５１の配列方向を画面上下方向（Ｙ方向）とする例を挙げて説明しているが、これに限らず、第１単位レンズ１４１の配列方向を画面上下方向（Ｙ方向）とし、第２単位レンズ１５１の配列方向を画面左右方向（Ｘ方向）としてもよい。
【００３６】
なお、本実施形態の第２光学シートとして、図３（ｂ）に示すように、単位光学形状として略三角柱形状の単位プリズム２５１がシート面に沿って画面上下方向（Ｙ方向）に複数配列された第２光学シート２５としてもよい。この単位プリズム２５１は、その配列方向に平行であってシート面に直交する断面での断面形状が、底角をαとする略二等辺三角形形状である。
この単位プリズム２５１の配列ピッチ（頂点ｔ間の距離）はＰ２であり、この単位プリズム２５１の高さ（シート面に直交する方向における単位プリズム２５１の頂点ｔから単位プリズム２５１間の谷底となる点ｖまでの寸法）はｈ２である。単位プリズム２５１の頂点ｔを含む頂部は曲率半径Ｒの曲面となっている。
また、これに限らず、第２光学シートの単位光学形状は、略円柱の一部形状としてもよいし、複数種類の曲線を組み合わせてなる形状としてもよい。
第２光学シート１５，２５は、熱可塑性樹脂を押し出し成形することにより形成されており、本実施形態では、ＰＣ（ポリカーボネート）樹脂を押し出し成形することにより形成されている。
なお、理解を容易にするために、以下の説明においては、第２光学シート１５を例に挙げて説明する。
【００３７】
本実施形態の第２光学シート１５は、図１や図３（ｃ）に示すように、その入射側（導光板１３側、Ｚ１側）の面１５ａの光源部１２Ａ側の端部及び光源部１２Ｂ側端部に、それぞれ遮光部１６を備えている。
遮光部１６は、帯状であって、画面左右方向（Ｘ方向）を長手方向として、第２光学シート１５の光源部１２Ａ側（Ｙ１側）端部と、光源部１２Ｂ側（Ｙ２側）端部に設けられている。この遮光部１６の詳細な形状等については、後述する。
なお、本実施形態では、図１等に示すように、遮光部１６が第２光学シート１５に設けられる例を示しているが、この遮光部１６は、第１光学シート１４の導光板１３側（Ｚ１側）の面１４ａの光源部１２Ａ，１２Ｂ側の端部に設けてもよい。
【００３８】
この第１光学シート１４及び第２光学シート１５は、シート面（ＬＣＤパネル１１の観察画面）に直交し、かつ、光源部１２Ａ，１２Ｂの延在方向に直交する断面（ＹＺ平面）において、面光源装置１０を構成する他の光学シート（偏光反射シート１７）及びＬＣＤパネル１１よりも、光源部１２Ａ側（Ｙ１側）及び光源部１２Ｂ側（Ｙ２側）に突出している（後述の図５参照）。
従って、本実施形態の第１光学シート１４及び第２光学シート１５は、その画面上下方向（Ｙ方向）の寸法が、偏光反射シート１７やＬＣＤパネル１１よりも大きい。
【００３９】
なお、本実施形態では、第１光学シート１４及び第２光学シート１５の光源部１２Ａ，１２Ｂ側端部の画面上下方向（Ｙ方向）における位置は等しいものするが、これに限らず、どちらかの端部がより光源部１２Ａ，１２Ｂ側に突出しているような形態としてもよい。例えば、遮光部１６が設けられている光学シート（本実施形態では、第２光学シート１５）の方が、画面上下方向（Ｙ方向）において、他方の光学シート（本実施形態では、第１光学シート１４）よりも、その端部が突出している形態としてもよい。
【００４０】
偏光反射シート１７は、第２光学シート１５よりも出射側（ＬＣＤパネル１１側、Ｚ２側）に配置されている。
この偏光反射シート１７は、特定の偏光状態の光を透過し、それ以外の偏光状態の光は反射するという作用を有している。この偏光反射シート１７としては、例えば、ＤＢＥＦシート（住友スリーエム株式会社製）を用いることができる。
【００４１】
図４は、遮光部１６の層構成を説明する図である。
図４（ａ）〜（ｃ）では、第２光学シート１５のシート面に直交し（Ｚ方向）、画面上下方向（Ｙ方向）に平行な断面において、光源部１２Ａ側（Ｙ１側）端部を拡大して示している。
この遮光部１６は、図１や図３（ｃ）に示すように、第２光学シート１５の導光板１３側（Ｚ１側）の面１５ａの光源部１２Ａ，１２Ｂ側の端部に設けられている。なお、理解を容易にするために、図４及び以下の遮光部１６の層構成の説明において、光源部１２Ａ側（Ｙ１側）の端部に設けられた遮光部１６を例に挙げて説明するが、光源部１２Ｂ側の端部に設けられる遮光部１６も光源部１２Ａ側の端部に設けられた遮光部１６と同様の構成となっている。
遮光部１６は、帯状の部材であり、その幅（画面上下方向の寸法）が、Ａである。遮光部１６は、総厚が１００μｍ以下となることが、遮光部１６の厚みによって形成される隙間による第２光学シート１５の撓み等を防止する観点等から好ましい。
【００４２】
遮光部１６は、接合層１６１、基材層１６２、遮光機能層１６３を備えている。
接合層１６１は、この遮光部１６を第２光学シート１５に接合するための層であり、各種粘着材や接着材等を用いることができる。この接合層１６１は、透明又は半透明であり、その厚さは、５〜２５μｍの範囲内が好ましい。
本実施形態の接合層１６１は、アクリル樹脂製の感圧型接着剤である。
【００４３】
基材層１６２は、この遮光部１６の基材（ベース）となる層である。
基材層１６２は、透明又は半透明の樹脂製のシート状の部材である。この基材層１６２としては、ＰＣ樹脂や、ＰＥＴ（ポリエチレンテレフタレート）樹脂、汎用樹脂等の樹脂製のシートを用いることができる。本実施形態の基材層１６２は、ＰＥＴ樹脂製のシートを用いている。この基材層１６２の厚さは、２０〜５０μｍの範囲内が好ましい。
【００４４】
遮光機能層１６３は、光を遮光する機能を有する層である。
遮光部１６は、その遮光機能層１６３の遮光機能に用いられる特性や層構成等により、以下に示すような形態が挙げられる。なお、遮光部１６の層構成等は、以下の例に限定されるものではない。
図４（ａ）に示す遮光部１６−１の遮光機能層１６３は、光を反射する作用を有する反射層であり、遮光部１６−１は、遮光機能層１６３の光反射作用による遮光性を有している。
この遮光部１６−１の遮光機能層１６３は、基材層１６２の接合層１６１とは反対側（Ｚ１側）の面に酸化チタン系の白色塗料を所定の厚さでコーティング等して形成されている。このような光を反射する作用を有する反射層を遮光機能層１６３とする場合には、その反射率が７０％以上であることが好ましい。また、このような反射作用を有する遮光機能層１６３は、白色塗料に限らず、他の反射性の高い明色系の塗料やマイカやビーズ等を含有する塗料等を用いて形成してもよい。このような遮光機能層１６３は、その厚さを１０〜５０μｍとすることが、十分な反射性能を得ることや熱による変形を防止する観点から好ましい。
【００４５】
図４（ｂ）に示す遮光部１６−２の遮光機能層１６３は、光反射作用及び光吸収作用を有しており、基材層１６２の接合層１６１とは反対側（Ｚ１側）の面に設けられ、光吸収作用を有する第２遮光機能層１６３ｂと、この第２遮光機能層１６３ｂよりも導光板１３側（Ｚ１側）に設けられる光反射性を有する第１遮光機能層１６３ａとが積層された形態となっている。
第１遮光機能層１６３ａは、上述の遮光部１６−１の光反射性を有する遮光機能層１６３と同様の形態であり、第２遮光機能層１６３ｂより導光板１３側に、酸化チタン系の白色塗料を所定の厚さでコーティング等して形成されている。
第２遮光機能層１６３ｂは、基材層１６２の接合層１６１とは反対側の面にカーボンブラック等の黒色塗料を所定の厚さでコーティングする等により形成されている。このような光吸収作用を有する遮光機能層１６３とする場合には、その透過率が０．５％以下であることが好ましい。また、黒色塗料に限らず、他の光吸収性の高い暗色系の塗料を用いてもよいし、さらに、表面にマット形状等を付してもよい。このような第２遮光機能層１６３ｂは、その厚さを５〜３０μｍとすることが、十分な光吸収性能を得ることや熱による変形を防止する観点から好ましい。
【００４６】
この遮光部１６−２は、遮光機能層１６３に入射した光の一部を第１遮光機能層１６３ａによって光を反射し、かつ、第１遮光機能層１６３ａを透過した光を第２遮光機能層１６３ｂで吸収することにより遮光を実現している。
遮光部１６−２の遮光機能層１６３は、上述の白色塗料及び黒色塗料等を、基材層１６２の接合層１６１とは反対側の面に、黒色塗料を基材層１６２側としてそれぞれ所定の厚さで２層コーティングして形成されている。なお、第１遮光機能層１６３ａ及び第２遮光機能層１６３ｂに用いる塗料は、上述のように、所定の反射率及び透過率を満たすものを適宜使用してよい。
【００４７】
また、図４（ｃ）に示すように、第２光学シート１５の導光板１３側（Ｚ１側）の面１５ａに、前述の遮光部１６−１を設け、ＬＣＤパネル１１側（Ｚ２側）の面１５ｂに遮光部１６−３を設けてもよい。この遮光部１６−３は、遮光部１６−１と対向する位置に、設けれられており、その幅は、遮光部１６−１の幅同じくＡ、もしくはそれより大きい幅となっている。
遮光部１６−３は、接合層１６１と基材層１６２と、光吸収作層を有する遮光機能層１６４を備えている。この遮光機能層１６４は、前述の第２遮光機能層１６３ｂと同様に、カーボンブラック等の黒色塗料を所定の厚さでコーティングする等により形成されており、その透過率が０．５％以下であることが好ましい。また、黒色塗料に限らず、他の光吸収性の高い暗色系の塗料を用いてもよいし、その表面にマット形状等を付してもよい。
【００４８】
接合層１６１は、第２単位レンズ１５１の凹凸形状の谷部分を少なくとも一部充填している。なお、第２光学シート１５の出射側の面に形成される遮光部１６は、基材層１６２や接合層１６１を備えず、黒色等の暗色系塗料を第２光学シート１５上に塗布した形態としてもよい。
遮光部１６は、光源部１２の種類や透過型表示装置１の画面サイズ、使用環境等に応じて、上述の形態のいずれかを適宜選択して選んでよい。なお、遮光部１６は、第１光学シート１４に設けられる場合にも、その層構成等については上述の形態と同様である。
【００４９】
図５は、本実施形態の透過型表示装置１の観察画面（シート面）に直交し、かつ、画面上下方向に平行な断面（ＹＺ平面）での光源部１２Ａ近傍の様子を示す図である。なお、ここでは、理解を容易にするために、光源部１２Ａ側の形態のみを例に挙げて説明するが、光源部１２Ｂ側においても同様である。
筐体部１９は、この透過型表示装置１の側面を保護する側面部１９ａ及び背面を保護する背面部１９ｂを有し、ベゼル１８とともにＬＣＤパネル１１及び面光源装置１０を挟むように収納する部材である。背面部１９ｂは、略平板状であり、側面部１９ａはその背面部の周縁部に背面部１９ｂの面に略直交する方向に凸となる平板状の枠状の部材である。
図５に示すように、光源部１２Ａは、側面部１９ａの内側（導光板１３側）の面１９ｃの背面側に設けられている。なお、これに限らず、背面部１９ｂの導光板１３側の面における側面部１９ａ側端部に設けられていてもよい。また、前述の不図示の反射板は、この背面部１９ｂの内側（導光板１３側）に設けられている。
【００５０】
また、図５に示すように、第１光学シート１４及び第２光学シート１５は、その光源部１２Ａ側端部が、導光板１３よりも光源部１２Ａ側（Ｙ１側）に突出している。本実施形態では、図５に示すように第１光学シート１４及び第２光学シート１５と側面部１９ａとは、Ｙ方向に寸法Ｂだけ間隔をあけた状態で配置されている。
この寸法Ｂは、小さい方が好ましいが、第１光学シート１４及び第２光学シート１５が、光源部１２Ａ，１２Ｂからの熱で膨張した場合に、その端部が側面部１９ａの内側の面１９ｃに当たって端部が変形しないように考慮され、設定されている。なお、熱膨張等を考慮しなくてよい場合等には、第１光学シート１４及び第２光学シート１５の光源部１２Ａ側端面が、側面部１９ａの内側の面１９ｃに接している形態としてもよい。
【００５１】
本実施形態の遮光部１６は、第２光学シート１５のこの突出している部分及び導光板１３と重なる部分にわたって設けられている。図５に示すように、シート面（観察画面）に直交し、画面上下方向（光源部１２の点光源１２１の配列方向（冷陰極管の場合は長手方向）に直交する方向）に平行な断面において、遮光部１６の幅はＡであり、この遮光部１６が導光板１３より突出している部分の幅がＡ１、導光板１３上に重なっている部分の寸法がＡ２である（Ａ＝Ａ１＋Ａ２）。
遮光部１６は、その幅Ａが５〜１０ｍｍのものが好適に用いられる。この幅Ａは、画面サイズ等に応じて適宜選択できる。
また、遮光部１６は、その画面中央側の端部が、前記ベゼル部の画面中央側の端部１８ａよりも画面外側に位置している。
【００５２】
ここで、ホットスポットの発生の様子を説明する。
図６は、ホットスポットついて説明する図である。
図６では、遮光部１６を備えていない従来の透過型表示装置１Ｂを示す。図６では、図５と同様に、透過型表示装置１Ｂの観察画面（シート面）に直交し、かつ、画面上下方向に平行な断面（ＹＺ平面）での光源部１２Ａ近傍の様子を示している。
近年の透過型表示装置の大画面化等にともなってベゼル１８の幅を狭くする傾向がある。そのため、図６に示すように、遮光部１６を設けていない透過型表示装置１Ｂでは、光源部１２Ａからの光が、導光板１３を透過せず、導光板１３上の各光学シート（遮光部１６を備えない第１光学シート１４Ｂ，第２光学シート１５Ｂ，偏光反射シート１７）の光源部１２Ａ側の端面等から入射し、ベゼル１８近傍の観察面側から出射するという光が生じ、これが、局所的に明るい領域であるホットスポットとして観察される。このホットスポットが生じると、画面内の輝度の均一性が低下し、映像の品位が低下する。
本実施形態では、上述のような第１光学シート１４又は第２光学シート１５を備え、さらに遮光部１６を設けることにより、このホットスポットの原因となる光を遮光し、かつ、輝度の均一性の向上をさせ、正面輝度の向上や視野角の向上等を図っている。
【００５３】
ここで、測定例１〜８までの面光源装置を用意し、ベゼル１８及びＬＣＤパネル１１を取り付けた状態、即ち、透過型表示装置の状態として、その正面輝度やホットスポットの視認の有無について調べ、評価した。この測定例１〜８までの面光源装置は、遮光部の有無やその位置、及び、面光源装置に用いられる各光学シートの形状等が異なるが、それ以外は、上述の本実施形態の面光源装置と略同様の形態である。
各測定例の面光源装置は、画面上下方向（Ｙ方向）両端部に光源部１２Ａ，１２Ｂを有している。各測定例の面光源装置を備える透過型表示装置は、この各測定例の面光源装置の観察者側（Ｚ２側）に、表示領域の画面サイズが対角４０インチ（８８６ｍｍ×４９８ｍｍ）、解像度１９２０×１０８０ドットのＬＣＤパネル１１と、ベゼル１８とを、それぞれ備えている。
【００５４】
各測定例の面光源装置は、いずれも、導光板１３とＬＣＤパネル１１との間に、導光板１３側から順に、第１シート、第２シート、第３シートの３枚の光学シートを備えている。第３シートは、いずれも本実施形態の偏光反射シート１７である。
評価に用いた遮光部１６は、図４（ｂ）に示すような第１遮光機能層１６３ａ及び第２遮光機能層１６３ｂを備える遮光部１６−２の形態であり、第１遮光機能層１６３ａの厚さ１０μｍ、第２遮光機能層１６３ｂの厚さ１０μｍ、基材層１６２の厚さ２５μｍ、接合層１６１の厚さ１０μｍ、総厚５５μｍであり、その反射率が８０％、透過率が０％である。また、遮光部１６の幅Ａ＝６ｍｍであり、Ａ１＝１．５ｍｍ、Ａ２＝４．５ｍｍである。
各測定例の面光源装置は、光源部１２Ａ近傍の画面上下方向（Ｙ方向）において、第１シート及び第２シートと側面部１９ａとの間の寸法Ｂ＝０．５ｍｍ、導光板１３の入光面１３ａからベゼル１８の画面中央側の端部１８ａまでの寸法Ｃ＝約８ｍｍ、側面部１９ａの内側の面１９ｃから光源部１２Ａの導光板１３側端部までの寸法Ｄ＝１ｍｍ、光源部１２Ａの導光板１３側端部から導光板１３の入光面１３ａまでの寸法Ｅ＝１ｍｍである。また、面光源装置１０の厚み方向（Ｚ方向）における光源部１２Ａの寸法Ｆ＝２ｍｍ、導光板１３の厚さは３ｍｍである。なお、光源部１２Ｂ近傍においても同様である。
【００５５】
測定例１の面光源装置は、第１シートとして、出射側の面にマイクロレンズが複数形成された厚さ約２９０μｍのマイクロレンズシートを備えている。このマイクロレンズは、半球円形状であり、ランダムピッチで配列されている。
また、測定例１の面光源装置は、第２シートとして、略二等辺三角柱形状の単位プリズムが、出射側の面にその長手方向を画面左右方向として、画面上下方向に配列されて形成された厚さ約２８０μｍのプリズムシートを備えている。この単位プリズムは、配列ピッチが５０μｍ、高さ２５μｍ、底角４５°である。
この測定例１の面光源装置は、遮光部１６を備えていない。
【００５６】
測定例２の面光源装置は、第１シートとして、出射側の面に、長軸がシート面に直交する略楕円柱の一部形状である単位レンズが、その長手方向を画面左右方向として、画面上下方向に配列されて形成されたレンチキュラーレンズシートを備えている。単位レンズは、その配列ピッチＰが６４μｍ、レンズ高さｈが２８μｍであり、この第１シートは、厚さが３００μｍである。この第１シートの形状は、本実施形態の第２光学シート１５に相当する。
また、測定例２の面光源装置は、第２シートとして、長軸がシート面に直交する略楕円柱の一部形状である単位レンズが、出射側の面に、その長手方向を画面上下方向として、画面左右方向に配列されて形成されたレンチキュラーレンズシートを備えている。単位レンズは、配列ピッチＰが６４μｍ、レンズ高さｈが２８μｍであり、この第２シートは、厚さが約３００μｍである。この第２シートの形状は、本実施形態の第１光学シート１４に相当する。
測定例２の面光源装置は、第１シートの導光板１３側の面であって光源部１２Ａ端部及び光源部１２側端部に、遮光部１６Ａ，１６Ｂが設けられている。
この測定例２の面光源装置は、本実施形態の面光源装置の実施例１に相当する。
【００５７】
測定例３の面光源装置は、第１シートとして、長軸がシート面に直交する略楕円柱の一部形状である単位レンズが、出射側の面に、その長手方向を画面左右方向として、画面上下方向に配列されて形成されたレンチキュラーレンズシートを備えている。単位レンズは、配列ピッチＰが６４μｍ、レンズ高さｈが２８μｍであり、この第１シートは、厚さが約３００μｍである。この第１シートの形状は、本実施形態の第２光学シート１５に相当する。
また、測定例３の面光源装置は、第２シートとして、長軸がシート面に直交する略楕円柱の一部形状である単位レンズが、出射側の面に、その長手方向を画面上下方向として、画面左右方向に配列されて形成されたレンチキュラーレンズシートを備えている。単位レンズは、配列ピッチＰが６４μｍ、レンズ高さｈが２８μｍであり、この第２シートは、厚さが約３００μｍである。この第２シートの形状は、本実施形態の第１光学シート１４に相当する。
測定例３の面光源装置は、第２シートの導光板１３側の面であって光源部１２Ａ端部及び光源部１２Ｂ側端部に、遮光部１６Ａ，１６Ｂが設けられている。
この測定例３の面光源装置は、本実施形態の面光源装置の実施例２に相当する。
【００５８】
測定例４の面光源装置は、第１シートとして、長軸がシート面に直交する略楕円柱の一部形状である単位レンズが、出射側の面に、その長手方向を画面上下方向として、画面左右方向に配列されて形成されたレンチキュラーレンズシートを備えている。単位レンズは、配列ピッチＰが６４μｍ、レンズ高さｈが２８μｍであり、この第１シートは、厚さが約３００μｍである。この第１シートは、本実施形態の第１光学シート１４（図２参照）に相当する。
また、測定例４の面光源装置は、第２シートとして、長軸がシート面に直交する略楕円柱の一部形状である単位レンズが、出射側の面に、その長手方向を画面左右方向として、画面上下方向に配列されて形成されたレンチキュラーレンズシートを備えている。単位レンズは、配列ピッチが６４μｍ、レンズ高さが２８μｍであり、この第２シートは、厚さが約３００μｍである。この第２シートは、本実施形態の第２光学シート１５（図３（ａ）参照）に相当する。
測定例４の面光源装置は、第２シート（本実施形態の第２光学シート１５に相当）の導光板１３側の面であって光源部１２Ａ端部及び光源部１２Ｂ側端部に、遮光部１６Ａ，１６Ｂが設けられている。
この測定例３の面光源装置は、本実施形態の面光源装置の実施例３に相当する。
【００５９】
測定例５の面光源装置は、第１シートとして、長軸がシート面に直交する略楕円柱の一部形状である単位レンズが、出射側の面に、その長手方向を画面上下方向として、画面左右方向に配列されて形成されたレンチキュラーレンズシートを備えている。単位レンズは、配列ピッチが６４μｍ、レンズ高さが２８μｍであり、この第１シートは、厚さが約３００μｍである。この第１シートは、本実施形態の第１光学シート１４に相当する。
また、測定例５の面光源装置は、第２シートとして、長軸がシート面に直交する略楕円柱の一部形状である単位レンズが、出射側の面に、その長手方向を画面左右方向として、画面上下方向に配列されて形成されたレンチキュラーレンズシートを備えている。単位レンズは、配列ピッチが６４μｍ、レンズ高さが２８μｍであり、この第２シートは、厚さが約３００μｍである。この第２シートは、本実施形態の第２光学シート１５に相当する。
測定例５の面光源装置は、第１シート（本実施形態の第１光学シート１４に相当）の導光板１３側の面であって光源部１２Ａ端部及び光源部１２Ｂ側端部に、遮光部１６Ａ，１６Ｂが設けられている。
この測定例５の面光源装置は、本実施形態の面光源装置の実施例４に相当する。
【００６０】
測定例６の面光源装置は、第１シートとして、長軸がシート面に直交する略楕円柱の一部形状である単位レンズが、出射側の面に、その長手方向を画面上下方向として、画面左右方向に配列されて形成されたレンチキュラーレンズシートを備えている。単位レンズは、配列ピッチが６４μｍ、レンズ高さが２８μｍであり、この第１シートは、厚さが約３００μｍである。この第１シートは、本実施形態の第１光学シート１４に相当する。
また、測定例６の面光源装置は、第２シートとして、略二等辺三角柱形状の単位プリズムが、出射側の面に、その長手方向を画面左右方向として、画面上下方向に配列されて形成されたプリズムシートを備えている。単位プリズムは、配列ピッチが６４μｍ、高さ３２μｍ、底角４５°であり、この第２シートは、厚さが約２９０μｍである。この第２シートは、本実施形態の第２光学シート２５（図３（ｂ）参照）に相当する。
測定例６の面光源装置は、第２シート（本実施形態の第２光学シート２５に相当）の導光板１３側の面であって光源部１２Ａ端部及び光源部１２Ｂ側端部に、遮光部１６Ａ，１６Ｂが設けられている。
この測定例６の面光源装置は、本実施形態の面光源装置の実施例５に相当する。
【００６１】
測定例７の面光源装置は、第１シートとして、略二等辺三角柱形状の単位プリズムが、出射側の面に、その長手方向を画面上下方向として、画面左右方向に配列されて形成された厚さが約２９０μｍのプリズムシートを備えている。単位プリズムは、配列ピッチが６４μｍ、高さが３２μｍ、底角４５°である。
測定例７の面光源装置は、第２シートとして、略二等辺三角柱形状の単位プリズムが、出射側の面に、その長手方向を画面左右方向として、画面上下方向に配列されて形成された厚さが約２９０μｍのプリズムシートを備えている。この単位プリズムは、配列ピッチが６４μｍ、高さが３２μｍ、底角４５°である。
測定例７の面光源装置は、第２シートの導光板１３側の面であって光源部１２Ａ端部及び光源部１２Ｂ側端部に、遮光部１６Ａ，１６Ｂが設けられている。
【００６２】
測定例８の面光源装置は、第１シートとして、無指向性の拡散作用を有する光拡散シートを備えている。この光拡散シートのヘイズ値は８８％である。
また、測定例８の面光源装置は、第２シートとして、略二等辺三角柱形状の単位プリズムが、その長手方向を画面左右方向として、画面上下方向に配列されて形成された厚さが約２９０μｍのプリズムシートを備えている。この単位プリズムは、配列ピッチが６４μｍ、高さが３２μｍ、底角４５°である。
測定例８の面光源装置は、第２シート（プリズムシート）の導光板１３側の面であって光源部１２Ａ端部及び光源部１２Ｂ側端部に、遮光部１６Ａ，１６Ｂが設けられている。
上述した測定例２，３，４，５の面光源装置の第１シート及び第２シート、測定例６の面光源装置の第１シートは、いずれもＰＣ樹脂を押し出し成形することにより形成されている。また、測定例６の面光源装置の第２シート、測定例７の面光源装置の第１シート及び第２シート、測定例８の面光源装置の第２シートは、ＰＣ樹脂を押し出し成形することにより形成されている。
測定例１の第１シート及び第２シートは、基材となる透明なシート上に紫外線硬化型樹脂を用いて紫外線成形法により形成されている。
【００６３】
正面輝度の測定方法及び評価方法と、ホットスポットの評価方法について説明する。
正面輝度については、暗室環境下において、各測定例の面光源装置を備える透過型表示装置のベゼル１８によって規定される表示領域の幾何学的中心を通り、観察面側表面の法線方向（Ｚ２側）８００ｍｍの位置から、輝度計（コニカミノルタ社製  分光放射輝度計ＣＳ−１０００）を用いて各測定例の面光源装置を備える透過型表示装置の表示領域の幾何学的中心における輝度を測定した。そして、測定例１の面光源装置を備える透過型表示装置の正面輝度を基準（１００％）とし、各測定例の面光源装置を備える透過型表示装置の正面輝度の相対輝度を算出した。
ホットスポットについては、暗室環境下において、各測定例の面光源装置を備える透過型表示装置の表示領域の幾何学的中心を通り、観察面側表面の法線方向（Ｚ２側）２ｍの位置から観察し、表示領域の光源部１２Ａ，１２Ｂ近傍にホットスポットが観察されるか否かを目視によって評価した。また、この正面位置から、画面上下方向において、観察面側表面の法線方向に対して±４５°移動した点から、各透過型表示装置の表示領域を斜めに観察し、ホットスポットが観察されるか否かを目視によって評価した。
表１において、ホットスポットが全く観察されない非常に良好なものを「１」で示し、ホットスポットが僅かに観察されるが使用に影響のないものを「２」で示し、ホットスポットが観察されるため使用条件によっては使用には適さないものを「３」で示し、ホットスポットが観察されて使用に適さないものを「４」で示し、ホットスポットが著しく観察され全く使用に適さないものを「５」で示した。即ち、評価の数値が小さいほうが良好であることを示す。
【００６４】
【表１】
0005782867.tif 000002
【００６５】
表１は、測定例１〜８の面光源装置を備える各透過型表示装置におけるホットスポットの視認の有無と正面輝度とを調べた結果を示す表である。なお、以下の説明において、特に断りがある場合を除いて、「測定例」とは、測定例の面光源装置を備える透過型表示装置を意味するものであり、例えば、測定例１とは、測定例１の面光源装置を備える透過型表示装置である。
正面輝度に関しては、測定例１の正面輝度を基準（１００％）とした場合の輝度比（相対輝度）を示している。
表１に示すように、遮光部１６を備えておらず、第１シートとしてレンチキュラーレンズシート（第１光学シート１４又は第２光学シート１５）ではなくマイクロレンズシートを備えている測定例１では、ホットスポットが正面方向からも斜め方向からも著しく生じて観察され、輝度の均一性が低かった。また、測定例１は、他の測定例に比べ、正面輝度も低かった。
【００６６】
また、表１に示すように、遮光部１６を備え、第１シートと第２シートの単位レンズの配列方向が直交しているが、第１シートとしてプリズムシート又は光拡散シートを備え、第１シートにレンチキュラーレンズシート（第１光学シート１４又は第２光学シート１５）を備えていない測定例７，８では、正面輝度が測定例１よりも向上した。しかし、測定例７，８は、測定例１よりも程度としては小さいが、ホットスポットが正面方向からも斜め方向からも観察され、輝度の均一性が低かった。
【００６７】
これに対して、遮光部１６を備え、第１シートとしてレンチキュラーレンズシート（第１光学シート１４又は第２光学シート１５）を備える測定例２〜６では、ホットスポットが正面方向からも斜め方向からも殆ど観察されず、良好であった。また、測定例２〜６は、測定例１に比べ、正面輝度も向上した。さらに、測定例２〜６のうち、第１シートを第１光学シート１４、第２シートを第２光学シート１５とし、その第２光学シートに遮光部１６を設けた測定例４は、最もホットスポットを低減でき、かつ、正面輝度の向上も図ることができ、最も良好であった。
また、遮光部１６の設けられた光学シートが異なる測定例４，５を比較したところ、第２シート側に遮光部１６を配置した測定例４の方が、ホットスポットの低減効果が若干ではあるが高かった。
さらに、第１シート及び第２シートにおいて、単位レンズの配列方向が異なる測定例３，４を比較したところ、画面左右方向に単位レンズを配列した測定例４の方が、ホットスポットの低減効果が若干ではあるが高かった。
【００６８】
以上のことから、本実施形態によれば、ホットスポットがなく、輝度の均一性が高く、正面輝度も高い良好な面光源装置を提供できる。さらに、このような面光源装置を用いることにより、輝度ムラのない、明るい映像を表示でき、大画面化及びベゼル１８の狭幅化が実現でき、良好な透過型表示装置を提供できる。
【００６９】
さらに、測定例２，４，６，８の面光源装置を備える各透過型表示装置の画面上下方向及び画面左右方向の視野角特性を調べた。
視野角特性については、各測定例の面光源装置を備える透過型表示装置の観察面側表面の幾何学的中心を通り、観察面側表面の法線方向（Ｚ２側）８００ｍｍの位置から、輝度計（コニカミノルタ社製  分光放射輝度計ＣＳ−１０００）を用いて各測定例の観察面側表面の幾何学的中心における輝度を測定した。
【００７０】
図７は、測定例２，４の画面上下方向及び画面左右方向の視野角特性を示すグラフである。図８は、測定例６，８の画面上下方向及び画面左右方向の視野角特性を示すグラフである。
図７（ａ）は、測定例２の画面上下方向及び画面左右方向の視野角特性を示し、図７（ｂ）は、測定例４の画面上下方向及び画面左右方向の視野角特性を示し、図８（ａ）は、測定例６の画面上下方向及び画面左右方向の視野角特性を示し、図８（ｂ）は、測定例８の画面上下方向及び画面左右方向の視野角特性を示している。
図７，８において、縦軸は相対輝度であり、横軸は各透過型表示装置の観察面側表面（出射側の面）におけるそれぞれの方向での出射角度を示している。
【００７１】
【表２】
0005782867.tif 000003
【００７２】
表２は、図７，８に示す測定例２，４，６，８の画面上下方向及び画面左右方向の視野角特性のグラフにおける半値角等（１／２角、１／３角）を示す表である。
表２や図７，８に示すように、測定例２では、画面左右方向における半値角や出射角度分布が、画面上下方向の半値角や出射角度分布に比べて小さい。従って、画面上下方向における視野角特性が画面左右方向における視野角特性に比べて大きくなっている。
【００７３】
一般的に、透過型表示装置及び面光源装置では、画面上下方向に比べて画面左右方向における視野角特性が広い方が好まれる。これは、人間の両眼が左右に配置されていることや、透過型表示装置等を視聴する視聴者が複数居ると想定される場合、視聴者が画面左右方向に広がって位置することが多いからである。
従って、本実施形態のように、光源部１２Ａ，１２Ｂを画面上下方向の両端部に配置する場合には、測定例４，６のように、光源部１２Ａ，１２Ｂの延在方向に対して、第１単位レンズ１４１の配列方向が平行（単位レンズの長手方向と光源部１２Ａ，１２Ｂの延在方向は直交）となるように配置すると、より良好な視野角特性がえられ、より高品位な面光源装置及び透過型表示装置とすることができる。
なお、測定例８は、画面左右方向における半値角が画面上下方向における半値角に比べて大きいが、前述のように、ホットスポットや輝度ムラが解消されておらず、好ましくない。
【００７４】
（変形形態）
以上説明した実施形態に限定されることなく、種々の変形や変更が可能であって、それらも本発明の範囲内である。
（１）本実施形態では、画面上下方向の両端部に光源部１２Ａ，１２Ｂが配置される例を示してが、これに限らず、例えば、画面左右方向の両端部に光源部１２Ａ，１２Ｂをその延在方向を画面上下方向として配置してもよい。
このとき、第１光学シート１４は、第１単位レンズ１４１が、その長手方向を画面左右方向に平行とし、画面上下方向に配列される形態とし、第２光学シート１５は、その単位光学形状（第２単位レンズ１５１又は単位プリズム２５１）が、画面上下方向を長手方向とし、画面左右方向に配列される形態とすると、ホットスポットが大幅に低減され、輝度の面均一性が高く、良好な透過型表示装置とすることができる。
【００７５】
（２）本実施形態において、面光源装置１０は、光源部１２Ａ，１２Ｂが導光板１３の対向する２つの側面１３ａ，１３ｂに沿ってそれぞれ配置される例を示したが、これに限らず、例えば、光源部１２Ａのみが導光板１３の１つの側面１３ａに沿って配置される形態としてもよい。
また、本実施形態では、光源部１２Ａ，１２Ｂは、複数の点光源（ＬＥＤ）１２１が一方向に複数配列されているものとしたが、これに限らず、例えば、光源部は、その発光源として他の発光源を用いてもよい。
【００７６】
（３）本実施形態において、第２光学シート１５の出射側（ＬＣＤパネル１１側）に、偏光反射シート１７を設ける例を示したが、これに限らず、例えば、マイクロレンズが複数配列されたマイクロレンズシートや、無指向性の拡散作用を有する汎用の拡散シート等を、所望する光学特性に合わせて配置してよい。
【００７７】
（４）本実施形態において、導光板１３は、略均等な厚みを有する略平板状である例を示しているが、これに限らず、例えば、画面上下方向において、光源部１２Ａ，１２Ｂ側となる入光面１３ａ側（Ｙ１側）及び入光面１３ｂ側（Ｙ２側）が厚く、画面上下方向において中央部が薄くなるように、その厚さが変化する板状としてもよい。このような形態とすることにより、導光板１３から出射する光の輝度均一性を向上させることができる。なお、光源部を１つのみ備える場合には、その入光面側が厚くその入光面に対向する面側に向かってしだいに薄くなる形態としてもよい。
【００７８】
（５）本実施形態では、接合層１６１及び基材層１６２は透明又は半透明である例を示したが、これに限らず、例えば、接合層１６１を形成する粘着材や接着材に顔料や染料等を加えて着色し、不透明とし、光吸収作用を付与してもよい。
【００７９】
（６）本実施形態において、図４に示すように、遮光部１６は、反射作用を有する遮光機能層１６３を備えた形態や、反射作用を有する第１遮光機能層１６３ａと光吸収作用を有する第２遮光機能層１６３ｂとを積層した形態等を示したが、これに鍵らず、例えば、遮光機能層として光吸収作用を有する黒色等の層のみを有する形態としてもよい。このような形態とすることにより、ホットスポットの原因となる光を吸収することができ、ホットスポットを低減できる。また、反射作用を有する遮光機能層１６３として、銀やアルミ、クロム等の高い反射性を有する金属の蒸着膜や、スパッタ等による膜、銀色系の塗料の塗膜等を備える形態としてもよい。
さらに、図４（ｂ）に示すように、第１遮光機能層１６３ａと第２遮光機能層１６３ｂとが積層された形態の遮光機能層１６３を備える場合等に、基材層１６２の接合層１６１側の面に、銀等の金属による蒸着膜等を形成してもよい。このような形態とすることにより、遮光機能層１６３で反射、吸収されず基材層１６２を透過した光を上述のような蒸着膜等で反射して第２遮光機能層１６３ｂで吸収させることができ、遮光機能を向上させることができる。
【００８０】
（７）本実施形態において、第１光学シート１４は、ＰＣ樹脂を押し出し成形することにより形成される例を示したが、これに限らず、例えば、樹脂製のシートの片面に紫外線硬化型樹脂等により第１単位レンズ１４１を形成したものとしてもよい。
なお、第２光学シート１５，２５においても同様である。
【００８１】
（８）本実施形態において、遮光部１６は、その幅方向における一部が導光板１３よりも光源部１２Ａ，１２Ｂ側に突出するように設けられている例を示したが、これに限らず、例えば、導光方向（本実施形態においては画面上下方向）における遮光部１６の光源部１２Ａ，１２Ｂ側の端部の位置が、導光板１３の入光面１３ａ，１３ｂの位置とそれぞれ一致していてもよいし、導光板１３の入光面１３ａ，１３ｂよりもそれぞれ画面中央側に位置していてもよい。
また、本実施形態において、遮光部１６の光源部１２Ａ，１２Ｂ側の端部は、画面上下方向における位置が、第２光学シート１５の光源部１２Ａ，１２Ｂ側の端部とそれぞれ一致している形態を示したが、例えば、第２光学シート１５の光源部１２Ａ，１２Ｂ側端部よりも画面中央側に位置する形態（即ち、第２光学シート１５の光源部１２Ａ，１２Ｂ側端部の方が遮光部１６よりも光源部１２Ａ，１２Ｂ側に突出している形態）としてもよい。
【００８２】
なお、本実施形態及び変形形態は、適宜組み合わせて用いることもできるが、詳細な説明は省略する。また、本発明は以上説明した実施形態等によって限定されることはない。
【符号の説明】
【００８３】
１    透過型表示装置
１０    面光源装置
１１    ＬＣＤパネル
１２Ａ，１２Ｂ    光源部
１３    導光板
１３ａ，１３ｂ    入光面
１４    第１光学シート
１５    第２光学シート
１６    遮光部
１７    偏光反射シート
１８    ベゼル
１９    筐体部
【図１】
0005782867.tif 000004
【図２】
0005782867.tif 000005
【図３】
0005782867.tif 000006
【図４】
0005782867.tif 000007
【図５】
0005782867.tif 000008
【図６】
0005782867.tif 000009
【図７】
0005782867.tif 000010
【図８】
0005782867.tif 000011